(57)【要約】【課題】  配線用ボックスの構成部品であるベースとボックス本体とを、ドライバー等の治工具を使用することなく、仮組みして組部品として発送され物流管理され得るし、配線用ボックスを使用する現場においても、ドライバー等の治工具を使用することなく、仮組みされたベースとボックス本体とを容易に分解でき、余分な工数や経費も不要で、ボックス本体の組付けも容易な配線用ボックスを提供すること。【解決手段】  ベースとボックス本体とよりなる配線用ボックスにおいて、前記ベースには案内斜面と係止凹部と支持片と逃げ溝とを含む複数のボックス本体係止用突片と、前記ボックス本体の一対の対向面であって前記係止凹部（穴部）と対応する位置に前記ボックス本体の底面開口を下方に向けた時に、内側空間内に上向きに切り起された係止凸部を複数設けてなり、前記ボックス本体内に前記ベースを表方向または裏方向のいずれにも組付け可能である。【選択図】  図１
2006109626.tif 000002
【特許請求の範囲】
【請求項１】
ベースとボックス本体とよりなる配線用ボックスにおいて、
前記ベースには案内斜面と係止凹部と支持片と逃げ溝とを含む複数のボックス本体係止用突片と、前記ボックス本体の一対の対向面に前記係止凹部と対応する位置に前記ボックス本体の底面開口を下方に向けて、内側空間内に上向きに切り起された係止凸部を複数設けてなり、前記ボックス本体内に前記ベースを表方向または裏方向のいずれかに組付け可能であることを特徴とする配線用ボックス。
【発明の詳細な説明】
【技術分野】
【０００１】
本発明は、屋内配線をする場合に建物壁の所定個所に露出した状態に配置される複数のスイッチやコンセントなどの電気部品を収容する配線用ボックスに関する。
【背景技術】
【０００２】
従来、ビルディングまたは家屋などの建物内には所定個所に複数のスイッチボックスやコンセントボックスやアウトレットボックスまたはプルボックス等の配線用ボックスや、コーナボックスや制御盤等の配線用ボックスを配置し、これらの配線用ボックスにて電線を結線して電気を室内で使えるようにしている。
【０００３】
図９に示すように、配線用ボックス５０の主要部は、壁面に取り付けるベース５１とボックス本体６０とから構成されている。図９は従来の配線用ボックス５０の分解斜視図である。ベース５１は底板５２とボックス本体６０を取付けるためのねじ穴５６を設けた折曲片５５とがあり、底板５２には取付穴５３がねじ５４により家屋の壁面に取付けられる。そして、電気部品を収容するボックス本体６０がベース５１にねじ６５にて取付けられる。ボックス本体６０は、上下側板６１と左右側板６２と前面枠６３とで後方開口６７にて構成されていた。前面枠６３には、電気部品取付部６３ａにねじ穴６３ｂと、ベース５１に取付けるためのねじ用穴６３ｃが設けられていた。
【０００４】
配線用ボックス５０の屋内の壁面や柱への取付けは、配線用ボックス５０を配置する現場において作業員により行われている。そのために配線用ボックス５０のベース５１とボックス本体６０等の構成部品は、工場から組部品として発送され物流管理される必要がある。そのために、ベース５１にボックス本体６０を被せるようにして、折曲片５５のねじ穴５６に、前面枠６３のねじ用穴６３ｃとを重ねてねじ６５にて仮組立てされた組部品として物流管理されていた。
そして、その一例として特開平１０−２０１０４８号公報がある。これには、板金ベース（ベース５１に相当）と上ケース（ボックス本体６０に相当）とをねじ６５にて固定された制御盤が示されている。（特許文献１参照）
【０００５】
他の例として、従来の配線用ダクト７６のためのコーナーボックス７０の分解斜視図である図１０と図１１を示す。そして、図１１は、従来のコーナーボックス７０の一部破断した斜視図であり、分解するための説明図でもある。図１０、図１１を参照して、他の例の文献として、実開平４−５８０２８号公報がある。これには、ベース７３を天井コーナー６９にねじ７５で止め付け、配線用ダクト（電線保護カバー）７６を配してからカバー７１（ボックス本体に相当）に被せる。ベース７３にはカバー係止用折曲片７４が４つ設けられ、各折曲片７４には貫通穴（係合穴）７４ｂが設けられると共に先端に内側に折り曲げた△状の傾斜面７４ａ（誘い込み傾斜部）が設けられ、カバー７１の内面には係止用の凸部７２が設けられており、カバ−７１装着状態で係止用の凸部７２と貫通穴（係合穴）７４ｂの嵌合によりカバー７１がベース７３に係止して外れないようになっている。（特許文献２参照）
【特許文献１】特開平１０−２０１０４８号公報
【特許文献２】実開平４−５８０２８号公報
【発明の開示】
【発明が解決しようとする課題】
【０００６】
しかし、特許文献１において、配線用ボックス（配線用ボックス５０相当）の構成部品である、板金ベース（ベース５１に相当）と上ケース（ボックス本体６０に相当）とは、ねじ６５にて仮組みして、組部品として発送され物流管理される。そして、配線用ボックス（配線用ボックス５０相当）を配置する現場において、作業員により仮組みの板金ベース（ベース５１に相当）と上ケース（ボックス本体６０に相当）とは、ねじ６５を一端外す必要がある。即ち、部品の発送側でも、部品の使用現場側でも、ドライバ等の治工具を使用して、板金ベース（ベース５１に相当）と上ケース（ボックス本体６０に相当）とのねじ６５を締付け仮組みをすることと、その締付けられているねじ６５を緩めて取外して、板金ベース（ベース５１に相当）と上ケース（ボックス本体６０に相当）とを分解するということとの、２箇所において余分な作業行程が存在しているために無駄なコストが発生している。
ここでもし仮に、ねじ止めせずに、板金ベース（ベース５１に相当）と上ケース（ボックス本体６０に相当）とを個別に物流管理すると面倒であり、取り揃えるのに余分の手間がかかり不具合である。
【０００７】
また、特許文献２において、配線用ボックス（コーナーボックス７０）の構成部品である、ベース７３とカバー７１（ボックス本体に相当）とは、ベース７３にカバー７１を被せて押しこんで、ねじ等使用せずに仮組みして、組部品として発送され物流管理される。しかし、配線用ボックス（コーナーボックス７０）を使用する現場において、カバー７３を外す場合は、図１１に示すように作業員によりマイナス形ドライバ７７をカバー７１の前面の上端（あるいは下端）に形成された切り欠き７８に差し込み、ドライバ７７を回したり梃にしたりして、カバー７１を起すように力を加える必要がある。即ち、カバー７１を外す場合は、マイナス形ドライバ７７等の取外し用の治工具を使用する必要があるので面倒である。
【０００８】
本発明の目的は、配線用ボックスの構成部品であるベースとボックス本体とを、ドライバ等の治工具を使用することなく、仮組みして組部品として発送され物流管理され得るし、配線用ボックスを使用する現場においても、ドライバ等の治工具を使用することなく、仮組みされたベースとボックス本体とを容易に分解でき、余分な工数や経費も不要で、ボックス本体の組付けも容易な配線用ボックスを提供することにある。
【課題を解決するための手段】
【０００９】
本発明の配線用ボックスは、ベースとボックス本体とよりなる配線用ボックスにおいて、前記ベースには案内斜面と係止凹部と支持片と逃げ溝とを含む複数のボックス本体係止用突片と、前記ボックス本体の一対の対向面に前記係止凹部と対応する位置に前記ボックス本体の底面開口を下方に向けて、内側空間内に上向きに切り起された係止凸部を複数設けてなり、前記ボックス本体内に前記ベースを表方向または裏方向のいずれにも組付け可能であることを特徴とする。
【発明の効果】
【００１０】
本発明によれば、ボックス本体の中にベースが裏向き（裏方向）に嵌めこまれている仮組付けの状態にて外れることなく、配線用ボックスは組部品として物流管理され、取扱も容易である。ボックス本体の中にベースが裏向き（裏方向）に嵌装されると言うことは、ボックス本体の底面開口から内部空間の中に、ベースを構成する底板の裏面側をボックス本体に向けて、先に底板の裏面側を挿入させ、最後に前記底板に設けられている複数のボックス本体係止用突片の先端部までを嵌装させた状態を言う。そして、配線用ボックスを使用する現場において、仮組付けされた配線用ボックスをベースとボックス本体とに分解するには、特別のドライバ等の治工具を必要とせずに、ボックス本体の表面側から手指等でベースの底板を押出せば、容易にボックス本体からベースを取出し、通常の作業で壁面に取付けられたベースをボックス本体の中に被せるように、今度は表向き（表方向）に押しこむだけで、ねじやドライバ等の特別な治工具を用いずに組付け出来る。
【００１１】
ここで、ボックス本体の中にベースが表向き（表方向）に嵌装されると言うことは、前記ボックス本体の底面開口から内部空間の中に、ベースを構成する底板の表面側をボックス本体に向けて、先に前記底板に設けられている複数のボックス本体係止用突片の先端部から挿入させ、最後に前記底板を嵌装させた状態を言う。この様にして、ボックス本体の中にベースが裏向き（裏方向）に嵌め込まれて仮組みされることにより、配線用ボックスの取扱時に、ねじやドライバ等の特別な治工具を用いた仮組み付けと分解と言うような無駄で余分な作業工程が省略でき、取扱や管理等の費用も安価にすることが出来る。
【発明を実施するための最良の形態】
【００１２】
以下、本発明の第１の実施の形態を図面を参照しながら説明する。図１は、後述する１組の電気部品（コンセントやスイッチ等の電気器具）２４取付のための配線用ボックス１の要部（電気部品２４の取付を除いたもの）を示す分解斜視図である。本発明に係る配線用ボックス１は、図１に示すように、ベース２とボックス本体８とからなる。ベース２は、略四辺形の底板３の四隅にボックス本体係止用突片５を備えている。この各々のボックス本体係止用突片５には、下方から上方にわたって、逃げ溝５ｄと、支持片５ｃと、係止凹部（穴部）５ｂと、先端部に案内斜面部５ａが夫々この順に設けられており、後述するボックス本体８の左右側面１０から内部空間１５内に上向に切り起された係止凸部１１に係合するようになっている。更に、ベース２には、略四辺形の底板３の中ほどに取付用のねじ４のねじ用穴３ａと、各辺の中央部に、電線保護カバー取付片３ｂとを備えている。
【００１３】
ボックス本体８は、図１に示す如く、上面（周囲枠部）９（取付実施例の図７、図８等では前面となる）において中心部の開口の周囲には枠状に平坦面を有し（周囲枠部９を形成）、左右側面１０と前後面（取付実施例の図７、図８等では上下面となる）１４とが周囲を囲み、底面は底面開口１６となっていて、内部に内部空間１５を形成している。上面（周囲枠部）９には、後述する１個のスイッチやコンセント等の電気部品(電気器具)２４を取付た部品取付枠（器具枠）２５を取付ける為の、突出した形状の電気部品取付部９ａとねじ穴９ｂと、その外側に、第１の化粧プレート２８（図７の取付実施例）や、化粧プレート枠３０（図８の取付実施例）等を取付る為の取付用の一対のねじ穴９ｃとが設けられている。
【００１４】
そして、一対の対向面である左右側面１０のやや下方よりに、内部空間内に上向きに一対ずつ（計４個）の切り起された係止凸部１１が、ベース２のボックス本体係止用突片５の係止凹部（穴部）５ｂに夫々対応する位置に設けてある。この図１の状態では、左右側面１０の切り起された係止凸部１１にて、内面側傾斜面１１ａは上方先端部に、即ち、底面開口１６から上面（周囲枠部）９方向に、行くに従って内部空間１５側に大きく突き出る方向に傾斜面を形成している。更に、左右側面１０と前後面（取付実施例の図７、図８では上下面となる）１４の底面開口１６側端部の中央位置には、後述する電線保護カバー２１に当接させ得る接続開口１２とそれを塞ぐ閉塞蓋１３を夫々有している。閉塞蓋１３はペンチ等の工具で挟んで曲げれば取り外せる状態である。
【００１５】
次に、このベース２とボックス本体８との着脱について、具体的に説明する。
初めに、裏向き（裏方向）に組み付けられるベース２とボックス本体８とを仮組みし、組部品として発送される物流管理の時の仮組付けの説明をし、次に、配線用ボックス１を使用する現場において、仮組付けされたベース２とボックス本体８とを分解するときの説明をし、更に、配線用ボックス１が配置され取付けられる現場での、表向き（表方向）に組込まれるベース２とボックス本体８との組付けの説明をし、最後に、配線用ボックス１が配置され取付けられた現場での、ベース２とボックス本体８との分解について夫々説明する。
【００１６】
初めに、図３、図４を参照して、ベース２とボックス本体８とを仮組みし、組部品として発送される物流管理の時の仮組付けの説明をする。図３と図４とは、ベース２とボックス本体８とを仮組付けをする手順の説明図である。図３の状態に、ボックス本体８の底面開口１６を上に向け、内部空間１５が良く見える状態にする。この場合には、左右側面１０の係止凸部１１の内面側傾斜面１１ａは上方から下方先端部に、（即ち、底面開口１６から上面（周囲枠部）９方向に、）行くに従って内部空間１６側に突き出る値が大きくなる方向に傾斜面を形成している。ベース２の底板３を下方に向け（ベース２の裏面側をボックス本体８に向け、即ちベース２を裏向き（裏方向）に向け）、底板３の四隅に配置されたボックス本体係止用突片５が上方に向いた状態とする。ベース２をボックス本体８の内部空間１５内に押しこむ(図６の矢印Ｂ方向)と、図４の状態となる。即ち、ボックス本体８の中にベース２が裏向き（裏方向）に嵌めこまれている。図４はベース２とボックス本体８との仮組みをするとき、ベース２を裏向き（裏方向）に組付けた組立図でもある。
【００１７】
図４と図６とを参照して、図６は図４のＧ−Ｈ−Ｊ線に沿った横断面図である。ボックス本体８の左右側面１０の係止凸部１１の内面側傾斜面１１ａは下方から先端部に、（即ち、底面開口１６から上面（周囲枠部）９方向に、）行くに従って内部空間１６側に突き出る値が大きくなる方向に傾斜面を形成していることは前述した。特別のねじやドライバ等の治工具を必要とせずに、単にボックス本体８の中に、底板３の裏面側を先にしてベース２を挿入すること（ベース２を裏向き（裏方向）に嵌装すること）により、このボックス本体８の両側の左右側面１１の内面側傾斜面１１ａに沿うようにして、ベース２の左右両側のボックス本体係止用突片５の支持片５ｃと内面側傾斜面１１ａとが当接している。即ち、ボックス本体８の両側の内面側傾斜面１１ａから、ベース２の左右両側の支持片５ｃが楔効果による保持力を受けている。これによりボックス本体８の中に裏向き（裏方向）に嵌めこまれているベース２は、図６の矢印Ｃ方向から手指等で底板３を押出さない限り、ベース２は取出せない。
【００１８】
そして、ボックス本体８の中にベース２が裏向き（裏方向）に嵌めこまれている図４の仮組付けの状態にて外れることなく、配線用ボックス１は組部品として物流管理され、取扱も容易である。そして、配線用ボックス１を使用する現場において、仮組付けされた配線用ボックス１をベース２とボックス本体８とに分解するには、特別のドライバ等の治工具を必要とせずに、図６の矢印Ｃ方向から手指等で底板３を押出せば、容易にボックス本体８からベース２を取出せる。従来のような配線用ボックス１の取扱時に、ねじやドライバー等の特別な治工具を用いた仮組み付けと分解と言うような無駄で余分な作業工程が省略でき、費用も安価にすることが出来る。
【００１９】
図１と図２を参照して、図１と図２とは、ベース２とボックス本体８とを組付けをする手順の説明図でもある。図２は、ベース２の底面３の表面側を上にし、ボックス本体８の底面開口１６を底面３の表面側に向け、底面３に設けてある複数のボックス本体係止用突片５の先端部を、先に前記底面開口１６から内部空間１５の中にボックス本体８を被せるように押し込んで、最後に前記底面３まで収容嵌装してあり、ベース２を表向き（表方向）にボックス本体８内に組付けた組立図である。
【００２０】
配線用ボックス１が配置され取付けられる現場での、ベース２とボックス本体８との組付けの要部（後述する電気部品（電気器具）２４の取付を除いて）を説明する。本発明に係る配線用ボックス１は、図１に示すように、ベース２とボックス本体８とからなる。ベース２は、略四辺形の底板３の四隅にボックス本体係止用突片５を備えている。この各々のボックス本体係止用突片５には、下方の底板３の裏面側から上方の先端部にわたり、逃げ溝５ｄと、支持片５ｃと、係止凹部（穴部）５ｂと、先端部に案内斜面部５ａを夫々この順に設けてあり、そして、このボックス本体係止用突片５に対応する位置に、後述するボックス本体８の左右側面１０から内部空間１５内に上向に切り起された係止凸部１１に係合するように複数設けられている。更に、ベース２には、略四辺形の底板３の中ほどに取付用のねじ用穴３ａと、各辺の中央部に、電線保護カバー取付片３ｂとを備えていることは前記した。
【００２１】
ベース２の略四辺形の底板３の中ほどに設けられている取付の為のねじ用穴３ａにねじ４を用いて壁面に、ベース２を取付て、そのベース２上方から（壁面に取付けた図７、図８等の実施例では前方から）、底面開口１６を先方のベース２の底板３の表方向に臨ませて、底面開口１６から内部空間１５内に、初めは複数前記のボックス本体係止用突片５の先端部から、次にベース２の全体を収容するようにボックス本体８を被せるように押しこむ。そうすると後述するように、この各々のボックス本体係止用突片５の係止凹部（穴部）５ｂにボックス本体８の係止凸部１１が嵌着され、図２に示されるように、ベース２を表向き（表方向）にボックス本体８内に、しっかり固定され、組立られる。
【００２２】
図１と図２と図５とを参照して、図５は図２のＤ−Ｅ−Ｆ線に沿った横断面図である。図１に示され、前述と一部重複するが、配線ボックス１は、ベース２とボックス本体８とからなる。そして、ベース２は、略四辺形の底板３の左右の四隅にボックス本体係止用突片５を備えている。この各々のボックス本体係止用突片５には、下方の底板３の裏面側から上方の先端部にわたり、逃げ溝５ｄと、支持片５ｃと、係止凹部（穴部）５ｂと、先端部に案内斜面部５ａを夫々この順に設けてあり、この図１のボックス本体係止用突片５において、左右に設けられた、先端部の案内斜面部５ａは、各々内部空間１５方向に傾斜している。
【００２３】
そして、この案内斜面部５ａに接する係止凹部（穴部）５ｂは、ボックス本体８の左右側面１０から内部空間１５方向に設けられた係止凸部１１に係合する位置になるように設けられている。そして、このボックス本体８の左右側面１０の係止凸部１１において、内面側傾斜面１１ａは、上方先端部に（即ち、底面開口１６から上面（周囲枠部）９方向に、）行くに従って内部空間１６側に突き出る値が大きくなる方向に傾斜面を形成していることは前述した通りである。
【００２４】
これ等のことから、ボックス本体８の底面開口１６を、先方のベース２の底板３の表方向に臨ませて、底面開口１６から四隅のボックス本体係止用突片５を内部空間１５内に被せ、収容するように図５の矢印Ａ方向に押込むと、ボックス本体係止用突片５の先端部の案内斜面部５ａがボックス本体８の左右側面１０の内壁に沿って挿入され、更に抵抗も無く滑らかに内面側傾斜面１１ａをも乗り越えて係止凸部１１を係止凹部（穴部）５ｂに嵌入させて停止する。これにより、ボックス本体８内にベース２を使用状態である表向き（表方向）に組付けられ、係止凸部１１を係止凹部（穴部）５ｂに嵌入させて、ボックス本体８とベース２とが確実に嵌着される。この様に、現場作業での配線用ボックスの組立てが、ねじやドライバ等の特別な治工具を用いずに、容易に、且つ、確実に行える。そして、分解する場合には、逆に、安全上、素人に容易に分解されないように、マイナスドライバ等を案内斜面５ａとボックス本体８の左右側面１０の内壁間（例えば、図２の案内斜面部５ａと左右側面１０との間部分）に挿入して、係止凸部１１が係止凹部５ｂに嵌入しているところを解除してやれば、ボックス本体８を分解して取出すことができる。
【００２５】
次に、図７、図８を参照して、施工現場での配線用ボックス１の使われ方について説明する。図７は、配線用ボックス１にスイッチやコンセント等の電気部品（電気器具、実施例ではコンセント）２４を組込んだ一部破断の組立図である。家屋の壁面２０の所定位置に、ねじ用穴３ａにねじ４を挿通してベース２を固定する。次に、ボックス本体８における電線保護カバー２１と接続する側の前面１４（図７、図８等の実施例では上面１４）の閉塞蓋１３をペンチ等で取外して、接続開口１２を開口させて、底板３の電線保護カバー取付片３ｂに電線保護カバー２１の端部を挿入させて、ベース２と電線保護カバー２１とを接続する。
【００２６】
ボックス本体８の接続開口１２の形状は、対応する電線保護カバー２１の断面形状に対応させてあるので接続開口１２との部分に隙間が生ずることはなく、ボックス本体８の取付はベース２に被せるように押しこんで、係止凹部５ｂと係止凸部１１との係合により、容易に行われる。電線保護カバー２１は、壁面２０に固定される基台２１ａと、基台２１ａの外側に嵌着されるカバー体２１ｂとからなり、この基台２１ａをベース２をなす底板３の電線保護カバー取付片３ｂに嵌め込み、内部に電線２２を保護収容してカバー体２１ｂで蓋をする。電線２２の一端部をベース２の方向に引出しておく。
【００２７】
次に電線保護カバー２１に保護収容されている電線２２をボックス本体８内を通して前面の周囲枠部９に囲まれた前面開口から手前に引出して、ボックス本体８の外部において、電線２２と電気器具(電気部品、実施例ではコンセント)２４とを接続した後に、電気器具（電気部品）２４に一体に取付けられている器具枠（部品取付枠）２５をボックス本体８の前面の電気部品取付部９ａに当接させて、電気器具（電気部品）２４の後部と電線２２の引出部とをボックス本体８内の内部空間１５に収容して、ねじ２６によりねじ穴９ｂに螺合して止め付ける。そして、ボックス本体８の前面の周囲枠部９に第１の化粧プレート２８をねじ２９にて止め付ける。第１の化粧プレート２８前面の中央穴部２８ａから電気器具（電気部品）２４のコンセント部のみが露出した状態であり、ボックス本体８の前面は第１の化粧プレート２８で覆われる（図７参照）。
【００２８】
図８は、図７で説明したのと同様にボックス本体８の外部において、電線２２と電気器具（電気部品、実施例では２個付きコンセント）２４とを接続した後に、電気器具（電気部品）２４に一体に取付けられている器具枠（部品取付枠）２５をボックス本体８の前面の電気部品取付部９ａに当接させて、電気器具２４の後部と電線２２の引出部とをボックス本体内の内部空間１５に収容して、ねじ２６によりねじ穴９ｂに螺合して止め付けたものである。ここまでは図７に示す実施例と同じであるが、以後は異なる。即ち、そのボックス本体８の前面に化粧プレート枠３０を上下端部に設けた一対のねじ穴３０ｂにねじ２９を通し、更に、このねじ２９をねじ穴９ｃに螺合させて止め付け、そして、その化粧プレート枠３０の中央部に大きく開口されている中央穴部３０ａの周縁部近傍に４個の係合穴部３０ｃが設けられている。
【００２９】
更に、この化粧プレート枠３０の前面に、第２の化粧プレート３２が、電気器具（電気部品、実施例では２個付コンセント）２４のコンセント部を露出した状態で、化粧プレート枠３０の中央部に大きく開口されている中央穴部３０ａを覆い、この第２の化粧プレート３２の裏面に設けられた４個の係合凸部３２ｂを（図８の一部破断の第２の化粧プレート３２の裏面に、係合突部３２ｂが図示されているので参照のこと）、対応する化粧プレート枠３０の係合穴部３０ｃに係合させて止め付けられている。即ち、この第２の化粧プレート３２は、中央穴部３２ａから電気器具（電気部品）２４のコンセント部のみが露出した状態でボックス本体８の前面を覆っている訳である。
【００３０】
次に、本発明の第２の実施の形態を図１２を参照しながら説明する。図１２は、３組の電気部品（コンセントやスイッチ等の電気器具）２４取付のための第２の配線用ボックス４１の要部（電気部品２４の取付を除いたもの）を示す分解斜視図である。本発明に係る第２の配線用ボックス４１は、図１２に示すように、ベース４２とボックス本体８８とからなる。ベース４２は、略四辺形の底板４３の四隅にボックス本体係止用突片４５を備えている。この各々のボックス本体係止用突片４５には、下方から上方にわたって、逃げ溝４５ｄと、支持片４５ｃと、係止凹部（穴部）４５ｂと、先端部に案内斜面部４５ａとが夫々この順に設けられており、後述するボックス本体８８の左右側面９０から内部空間９５内に上向に切り起された係止凸部９１に係合するようになっている。更に、ベース４２には、略四辺形の底板４３の中ほどに取付用のねじ４４のねじ用穴４３ａと、各辺の中央部に、電線保護カバー取付片４３ｂとを備えている。
【００３１】
ボックス本体８８は、図１２に示す如く、上面（周囲枠部）８９（取付実施例の図７、図８等に準ずる場合では前面となる）において、中心部の開口の周囲には枠状に平坦面を有し（周囲枠部８９を形成）、左右側面９０と前後面（取付実施例の図７、図８等に準ずる場合では上下面となる）９４とが周囲を囲み、底面は底面開口９６となっていて、内部に内部空間９５を形成している。上面（周囲枠部）８９には、３個のスイッチやコンセント等の電気部品(電気器具)２４を取付た部品取付枠（器具枠）２５を取付ける為の、突出した形状の電気部品取付部８９ａとねじ穴８９ｂと、その外側に、第１の化粧プレート２８（図７の取付実施例に準ずる）や、化粧プレート枠３０（図８の取付実施例に準ずる）等を取付る為の取付用の三対のねじ穴８９ｃとが設けられている。そして、一対の対向面である左右側面９０のやや下方よりに、内部空間内に上向きに一対ずつ（係４個）の切り起された係止凸部９１が、ベース４２のボックス本体係止用突片４５の係止凹部（穴部）４５ｂに夫々対応する位置に設けてある。
【００３２】
この図１２の状態では、左右側面９０の切り起された係止凸部９１にて、内面側傾斜面９１ａは上方先端部に、即ち、底面開口９６から上面（周囲枠部）８９方向に、行くに従って内部空間９５側に大きく突き出る方向に傾斜面を形成している。更に、左右側面９０と前後面（取付実施例の図７、図８に準ずる場合においは上下面となる）９４の底面開口９６側端部の中央位置には、後述する電線保護カバー２１に当接させ得る接続開口９２とそれを塞ぐ閉塞蓋９３を夫々有している。更に、大型の電線保護カバー２１′の場合に当接させ得る大型の接続開口９２′とそれを塞ぐ大型の閉塞蓋９３′がある。閉塞蓋９３及び閉塞蓋９３′はペンチ等の工具で挟んで曲げれば取り外せる状態である。もちろん、閉塞蓋９３だけ取外して大形の閉塞蓋９３′を残しておくことは可能である。
【００３３】
次にベース４２とボックス本体８８との着脱を説明する。ここで、前述した第１の実施の形態で説明したベース２とボックス本体８との着脱を説明したのに対して、配線用ボックス１のベース２を第２の配線用ボックス４１のベース４２と、以下同様に、底板３を底板４３と、ボックス本体係止用突片５をボックス本体係止用突片４５と、案内斜面部５ａを案内斜面部４５ａと、係止凹部（穴部）５ｂを係止凹部（穴部）４５ｂと、支持片５ｃを支持片４５ｃと、逃げ溝５ｄを逃げ溝４５ｄと、それぞれ読み替える。
【００３４】
そして、ボックス本体８をボックス本体８８と、上面（周囲枠部）９を上面（周囲枠部）８９と、電気部品取付部９ａを電気部品取付部８９ａと、ねじ穴９ｂ、９ｃをねじ穴８９ｂ、８９ｃと、左右側面１０を左右側面９０と、係止凸部１１を係止凸部９１と、接続開口１２を接続開口９２と、閉塞蓋１３を閉塞蓋９３と、前後面１４を前後面９４と、内部空間１５を内部空間９５と、底面開口１６を底面開口９６と、読み替えれば、第１の実施の形態のベース２とボックス本体８との着脱の説明が、そのまま第２の実施の形態のベース４２とボックス本体８８との着脱の説明に読み替えることが出来る。その効果も同じである。
図１で示す配線用ボックス１と、図１２で示す第２の配線用ボックス４１とでは、電気部品（電気器具）２４の取付が１組と３組の場合の実施の形態を説明した。これ等の例から、電気部品（電気器具）２４の取付が２組の場合でも、４組、５組の場合でも実施可能であることが分かる。そして、その作用効果も同じである。
【００３５】
また、本発明の配線用ボックスは、上記実施の形態に限定されるものではなく、本発明の要旨を逸脱しない範囲内において種々変更を加え得ることは勿論である。
【産業上の利用可能性】
【００３６】
本発明は、各種産業界において利用可能である。
【図面の簡単な説明】
【００３７】
【図１】本発明に係る第１の実施の形態の配線ボックス１の要部を示す分解斜視図である。
【図２】本発明に係るベース２を表向き（表方向）にボックス本体内に組付けた組立図である。
【図３】本発明に係るベース２とボックス本体８とを仮組付けする手順の説明図である。
【図４】本発明に係るベース２をボックス本体８内に裏向き（裏方向）に組付けた組立図である。
【図５】図２のＤ−Ｅ−Ｆ線に沿った横断面図である。
【図６】図４のＧ−Ｈ−Ｊ線に沿った横断面図である。
【図７】本発明に係る配線用ボックス１にスイッチやコンセント等の電気部品（実施例ではコンセント）を組込んだ一部破断の組立図である。
【図８】本発明に係る配線用ボックス１にスイッチやコンセント等の電気部品（実施例ではコンセント）を組込んだ斜視図である。
【図９】従来の配線用ボックス５０の分解斜視図である。
【図１０】従来のコーナーボックス７０の分解斜視図である。
【図１１】従来のコーナーボックス７０の一部破断した斜視図である。
【図１２】本発明に係る第２の実施の形態の配線用ボックス４１の要部を示す分解斜視図である。
【符号の説明】
【００３８】
１    配線用ボックス
２    ベース
８    ボックス本体
５    ボックス本体係止用突片
５ａ  案内斜面
５ｂ  係止凹部
５ｃ  支持片
５ｄ  逃げ溝
１０    左右側面
１１    係止凸部
１５    内側空間
【図１】
2006109626.tif 000003
【図２】
2006109626.tif 000004
【図３】
2006109626.tif 000005
【図４】
2006109626.tif 000006
【図５】
2006109626.tif 000007
【図６】
2006109626.tif 000008
【図７】
2006109626.tif 000009
【図８】
2006109626.tif 000010
【図９】
2006109626.tif 000011
【図１０】
2006109626.tif 000012
【図１１】
2006109626.tif 000013
【図１２】
2006109626.tif 000014